(57)【要約】【課題】クライアント端末間の通信状態を任意の端末から確認する具体的な手段を提供する。【解決手段】第１中継サーバは、中継グループ情報格納部と、中継サーバ情報格納部と、監視通知部と、出力制御部と、を備える。監視通知部は、中継サーバ情報に基づき、中継グループ内において第１中継サーバとは異なる中継サーバに接続された第１クライアント端末に対して、第１クライアント端末と、第１クライアント端末と接続された中継サーバとは異なる中継グループ内の中継サーバと接続された第２クライアント端末との間に確立されたメディアセッションのセッション情報を監視することを通知する。出力制御部は、第１クライアント端末からのセッション情報の表示を制御する。【選択図】図１
2011087083.tif 000002
【特許請求の範囲】
【請求項１】
一以上の中継サーバと通信可能であり、第１中継サーバとして機能する中継サーバであって、
前記第１中継サーバと、前記第１中継サーバと通信可能な一以上の中継サーバとが、中継グループを構成することを示す中継グループ情報が、前記中継グループ内の中継サーバ間で共有されて格納される中継グループ情報格納部と、
前記中継グループ内の中継サーバの起動情報と、前記中継グループ内の中継サーバに接続されたクライアント端末の起動情報および登録情報と、を有する中継サーバ情報が、前記中継グループ内の中継サーバ間で共有されて格納される中継サーバ情報格納部と、
前記中継サーバ情報に基づき、前記中継グループ内の中継サーバに接続された第１クライアント端末に対して、前記第１クライアント端末と、前記中継グループ内の中継サーバに接続された第２クライアント端末との間に確立されたメディアセッションのセッション情報を監視することを示す監視情報を通知する監視通知部と、
前記第１クライアント端末から受領した前記セッション情報の出力を制御する出力制御部と、
を備える中継サーバ。
【請求項２】
前記第１クライアント端末に対する前記セッション情報の監視を無効化する監視機能制御部をさらに備える、請求項１に記載の中継サーバ。
【請求項３】
前記セッション情報を表示可能な表示装置をさらに備える、請求項１〜２に記載の中継サーバ。
【請求項４】
前記監視情報は、前記セッション情報の監視先としての前記第１クライアント端末に関する情報を含む請求項１〜３のいずれかに記載の中継サーバ。
【請求項５】
前記監視情報は、前記セッション情報を監視する期間に関する情報を含む請求項１〜４のいずれかに記載の中継サーバ。
【請求項６】
前記出力制御部は、前記第１クライアント端末から、一定の間隔で前記セッション情報を受領する請求項１〜５のいずれかに記載の中継サーバ。
【請求項７】
前記出力制御部は、前記第１クライアント端末から、前記メディアセッションの接続終了時に、前記セッション情報を受領する請求項１〜５のいずれかに記載の中継サーバ。
【請求項８】
前記出力制御部は、前記第１クライアント端末から、前記メディアセッションの確立時および前記メディアセッションの接続終了時に、前記セッション情報を受領する請求項１〜５のいずれかに記載の中継サーバ。
【請求項９】
第１中継サーバと、
前記第１中継サーバと通信可能な一以上の中継サーバと、
前記第１中継サーバ及び前記一以上の中継サーバのいずれかに接続された第１クライアント端末および第２クライアント端末と、
を含み、
前記第１中継サーバおよび前記第１中継サーバと通信可能な一以上の中継サーバは、
前記第１中継サーバと、前記第１中継サーバと通信可能な一以上の中継サーバとが、中継グループを構成することを示す中継グループ情報が、前記中継グループ内の中継サーバ間で共有されて格納される中継グループ情報格納部と、
前記中継グループ内の中継サーバの起動情報と、前記中継グループ内の中継サーバに接続されたクライアント端末の起動情報および登録情報と、を有する中継サーバ情報が、前記中継グループ内の中継サーバ間で共有されて格納される中継サーバ情報格納部と、
を備え、
前記第１中継サーバは、
前記中継サーバ情報に基づき、前記第１クライアント端末に対して、前記第１クライアント端末と前記第２クライアント端末との間に確立されたメディアセッションのセッション情報を監視することを示す監視情報を通知する監視通知部と、
前記第１クライアント端末から受領した前記セッション情報の出力を制御する出力制御部と、
をさらに備える中継通信システム。
【請求項１０】
前記第１中継サーバは、前記第１クライアント端末に対するセッション情報の監視を無効化する監視機能制御部をさらに備える、請求項９に記載の中継通信システム。
【請求項１１】
前記第１中継サーバは、前記セッション情報を表示可能な表示装置をさらに備える、請求項９〜１０に記載の中継通信システム。
【請求項１２】
前記監視情報は、前記セッション情報の監視先としての前記第１クライアント端末に関する情報を含む請求項９〜１１のいずれかに記載の中継通信システム。
【請求項１３】
前記監視情報は、前記セッション情報を監視する期間に関する情報を含む請求項９〜１２のいずれかに記載の中継通信システム。
【請求項１４】
前記出力制御部は、前記第１クライアント端末から、一定の間隔で前記セッション情報を受領する請求項９〜１３のいずれかに記載の中継通信システム。
【請求項１５】
前記出力制御部は、前記第１クライアント端末から、前記メディアセッションの接続終了時に、前記セッション情報を受領する請求項９〜１３のいずれかに記載の中継通信システム。
【請求項１６】
前記出力制御部は、前記第１クライアント端末から、前記メディアセッションの確立時および前記メディアセッションの接続終了時に、前記セッション情報を受領する請求項９〜１３のいずれかに記載の中継通信システム。
【発明の詳細な説明】
【技術分野】
【０００１】
本発明は、互いに通信可能な複数の中継サーバと、複数のクライアント端末と、クライアント端末を中継サーバに接続するＬＡＮとを有する中継通信システムに関し、さらに中継通信システムに用いられる中継サーバに関する。
【背景技術】
【０００２】
ＬＡＮに接続されるクライアント端末が、ＷＡＮを超えて遠隔のＬＡＮに接続される他のクライアント端末と通信することがある。ＶＰＮ（Ｖｉｒｔｕａｌ  Ｐｒｉｖａｔｅ  Ｎｅｔｗｏｒｋ）は、遠隔のＬＡＮが直接に接続されているかのようなネットワークを構築できる。しかし、ＶＰＮは、拡張性および柔軟性のあるネットワークを構築することが困難である。
【０００３】
特許文献１が開示する中継通信システムは、ＶＰＮと同様に、遠隔のＬＡＮが直接に接続されているかのようなネットワークを構築できる。そして、中継通信システムは、ＶＰＮと異なり、拡張性および柔軟性のあるネットワークを構築することが容易である。
【０００４】
特許文献１に記載の中継通信システムでは、各ＬＡＮに接続されたクライアント端末の識別情報を共有することで、クライアント端末間での通信を可能としている。具体的には、中継サーバの識別情報とクライアント端末の識別情報との対応付け情報をネットワーク全体で共有することで、クライアント端末間の通信パケットを中継サーバが中継することを可能としている。
【先行技術文献】
【特許文献】
【０００５】
【特許文献１】特開２００８−１２９９９１号公報
【発明の概要】
【発明が解決しようとする課題】
【０００６】
特許文献１が開示する中継通信システムにおいて、ＬＡＮおよびクライアント端末の増減状態および接続状態が変化することがある。しかし、クライアント端末および中継サーバが通信先を指定するにあたり、装置の増減状態および接続状態をリアルタイムに確認する具体的な手段は開示されていない。また、クライアント端末間の通信状態を、任意の端末から確認する具体的な手段は開示されていない。
【０００７】
そこで、本発明は前記問題点に鑑み、遠隔のＬＡＮに接続されるクライアント端末がＷＡＮを超えて通信することを可能にする中継通信システムにおいて、クライアント端末および中継サーバが通信先を指定するにあたり、装置の増減状態および接続状態をリアルタイムに確認する具体的な手段を提供することを目的とする。また、クライアント端末間の通信状態を任意の端末から確認する具体的な手段を提供することを目的とする。
【課題を解決するための手段】
【０００８】
本発明の一見地に係る中継サーバは、複数の中継サーバと通信可能であり、第１中継サーバとして機能する。中継サーバは、中継グループ情報格納部と、中継サーバ情報格納部と、監視通知部と、出力制御部と、を備える。中継グループ情報格納部には、第１中継サーバと、第１中継サーバと通信可能な複数の中継サーバとが、中継グループを構成することを示す中継グループ情報が、中継グループ内の中継サーバ間で共有されて格納されている。中継サーバ情報格納部には、中継グループ内の中継サーバの起動情報と、中継グループ内の中継サーバに接続されたクライアント端末の起動情報および登録情報と、を有する中継サーバ情報が、中継グループ内の中継サーバ間で共有されて格納されている。監視通知部は、中継サーバ情報に基づき、中継グループ内の中継サーバに接続された第１クライアント端末に対して、第１クライアント端末と、中継グループ内の中継サーバに接続された第２クライアント端末との間に確立されたメディアセッションのセッション情報を監視することを示す監視情報を通知する。出力制御部は、第１クライアント端末から受領したセッション情報の出力を制御する。
【０００９】
ここでは、中継グループ内の中継サーバは、中継サーバ情報を共有する。第１中継サーバは、共有された中継サーバ情報を利用して、中継グループ内のどのクライアント端末が通信可能となっているかを確認できる。そして、第１中継サーバは、確認の結果、通信可能な第１クライアント端末に対して、第１クライアント端末と第２クライアント端末との間に確立されたメディアセッションのセッション情報を監視することを示す監視情報を通知し、セッション情報の出力を制御する。このような第１中継サーバでは、共有された中継サーバ情報を用いることで、同一中継サーバ内におけるクライアント端末間に確立されたメディアセッションのセッション情報を監視することができるようになる。
【００１０】
中継サーバは、第１クライアント端末に対するセッション情報の監視を無効化する監視機能制御部をさらに備えていてもよい。
中継サーバは、セッション情報を表示可能な表示装置をさらに備えていてもよい。
監視情報は、セッション情報の監視先としての第１クライアント端末に関する情報を含んでいてもよい。
監視情報は、セッション情報を監視する期間に関する情報を含んでいてもよい。
【００１１】
出力制御部は、第１クライアント端末から、一定の間隔でセッション情報を受領してもよい。
出力制御部は、第１クライアント端末から、メディアセッションの接続終了時に、セッション情報を受領してもよい。
出力制御部は、第１クライアント端末から、メディアセッションの確立時およびメディアセッションの接続終了時に、セッション情報を受領してもよい。
【００１２】
本発明の他の見地に係る中継通信システムは、第１中継サーバと、第１中継サーバと通信可能な複数の中継サーバと、第１中継サーバ及び一以上の中継サーバのいずれかに接続された第１クライアント端末および第２クライアント端末と、を含む。第１中継サーバおよび第１中継サーバと通信可能な一以上の中継サーバは、中継グループ情報格納部と、中継サーバ情報格納部と、を備える。中継グループ情報格納部には、第１中継サーバと、第１中継サーバと通信可能な一以上の中継サーバとが、中継グループを構成することを示す中継グループ情報が、中継グループ内の中継サーバ間で共有されて格納されている。中継サーバ情報格納部には、中継グループ内の中継サーバの起動情報と、中継グループ内の中継サーバに接続されたクライアント端末の起動情報および登録情報と、を有する中継サーバ情報が、中継グループ内の中継サーバ間で共有されて格納されている。第１中継サーバは、監視通知部と、出力制御部と、をさらに備える。監視通知部は、中継サーバ情報に基づき、第１クライアント端末に対して、第１クライアント端末と第２クライアント端末との間に確立されたメディアセッションのセッション情報を監視することを示す監視情報を通知する。出力制御部は、第１クライアント端末からのセッション情報の出力を制御する。
【００１３】
第１中継サーバが、第１クライアント端末に対するセッション情報の監視を無効化する監視機能制御部をさらに備えていてもよい。
第１中継サーバが、セッション情報を表示可能な表示装置をさらに備えていてもよい。
監視情報は、セッション情報の監視先としての第１クライアント端末に関する情報を含んでいてもよい。
監視情報は、セッション情報を監視する期間に関する情報を含んでいてもよい。
【００１４】
出力制御部は、第１クライアント端末から、一定の間隔でセッション情報を受領してもよい。
出力制御部は、第１クライアント端末から、メディアセッションの接続終了時に、セッション情報を受領してもよい。
出力制御部は、第１クライアント端末から、メディアセッションの確立時およびメディアセッションの接続終了時に、セッション情報を受領してもよい。
【発明の効果】
【００１５】
本発明に係る中継サーバおよび中継通信システムでは、遠隔のＬＡＮに接続されるクライアント端末がＷＡＮを超えて通信することを可能にする中継通信システムにおいて、クライアント端末および中継サーバが通信先を指定するにあたり、装置の増減状態および接続状態をリアルタイムに確認することができる。また、中継サーバが、同一の中継グループ内にあるクライアント端末間におけるメディアセッションのセッション情報を監視することができるようになる。
【図面の簡単な説明】
【００１６】
【図１】中継通信システムの全体構成を示す模式図である。
【図２】第１中継サーバの構成要素を示すブロック図である。
【図３】第１クライアント端末の構成要素を示すブロック図である。
【図４】中継グループ情報の概略構成を示す図である。
【図５】中継グループ情報の詳細構成を示す図である。
【図６】中継サーバ情報の概略構成を示す図である。
【図７】中継サーバ情報の詳細構成を示す図である。
【図８】第１中継サーバに格納されたクライアント端末情報である。
【図９】第２中継サーバに格納されたクライアント端末情報である。
【図１０】第３中継サーバに格納されたクライアント端末情報である。
【図１１】中継グループの構築に関わる処理の流れを示す図である。
【図１２】交換前の中継サーバ情報の詳細構成を示す図である。
【図１３】交換前の中継サーバ情報の詳細構成を示す図である。
【図１４】交換前の中継サーバ情報の詳細構成を示す図である。
【図１５】中継グループ情報および中継サーバ情報の共有に関わる処理の流れを示す図である。
【図１６】セッション情報の詳細構成を示す図である。
【図１７】第１実施例におけるセッション情報監視に関わる処理の流れを示す図である。
【図１８】データ転送前のセッション情報の詳細構成を示す図である。
【図１９】第２実施例におけるセッション情報監視に関わる処理の流れを示す図である。
【発明を実施するための形態】
【００１７】
１．  中継通信システムの全体構成
以下、図面を参照しつつ、本発明の実施の形態について説明する。図１は、中継通信システムの全体構成を示す。中継通信システムは、第１ＬＡＮ１と、第２ＬＡＮ２と、第３ＬＡＮ３と、ＷＡＮ４とから構成される。第１ＬＡＮ１、第２ＬＡＮ２、第３ＬＡＮ３は、遠隔に構築される小規模なネットワークである。ＷＡＮ４は、インターネットなどの大規模なネットワークである。
【００１８】
この実施形態では、後に詳細に説明するが、第１ＬＡＮ１の第１中継サーバＡと、第２ＬＡＮ２の第２中継サーバＢと、第３ＬＡＮ３の第３中継サーバＣとが、第１中継グループを構成している。
【００１９】
第１ＬＡＮ１は、第４ＬＡＮ６と、第５ＬＡＮ７とを有しており、両者は、第１汎用ルータ８により接続されている。第４ＬＡＮ６では、第１中継サーバＡと、第１クライアント端末Ａ１と、第１通信機器９とが互いに接続されている。第５ＬＡＮ７では、第２クライアント端末Ａ２と、第２通信機器１０と、第３通信機器１１とが互いに接続されている。
【００２０】
第２ＬＡＮ２では、第２中継サーバＢと、第３クライアント端末Ｂ１と、第４クライアント端末Ｂ２と、第４通信機器１４とが互いに接続されている。
【００２１】
第３ＬＡＮ３は、第６ＬＡＮ１６と、第７ＬＡＮ１７と、第８ＬＡＮ１８とを有している。第６ＬＡＮ１６と第７ＬＡＮ１７は第２汎用ルータ１９により接続されており、第６ＬＡＮ１６と第８ＬＡＮ１８は第３汎用ルータ２１により接続されている。第６ＬＡＮ１６には第３中継サーバＣが所属している。第７ＬＡＮ１７では、第５クライアント端末Ｃ１と、第５通信機器２２とが互いに接続されている。第８ＬＡＮ１８では、第６クライアント端末Ｃ２と、第６通信機器２３とが互いに接続されている。
【００２２】
第１クライアント端末Ａ１、第２クライアント端末Ａ２、第３クライアント端末Ｂ１、第４クライアント端末Ｂ２、第５クライアント端末Ｃ１、および第６クライアント端末Ｃ２は、例えば、パーソナルコンピュータ等のコンピュータにＯＳ（オペレーションシステム）、ブラウザなどが組み込まれたものである。第１通信機器９、第２通信機器１０、第３通信機器１１、第４通信機器１４、第５通信機器２２、および第６通信機器２３も、例えば、パーソナルコンピュータである。
【００２３】
第１中継サーバＡ、第２中継サーバＢ、および第３中継サーバＣは、第１クライアント端末Ａ１、第２クライアント端末Ａ２、第３クライアント端末Ｂ１、第４クライアント端末Ｂ２、第５クライアント端末Ｃ１、第６クライアント端末Ｃ２の相互間の通信を中継する。ＷＡＮ４は、第１中継サーバＡ、第２中継サーバＢ、第３中継サーバＣの相互間の通信を中継する。
【００２４】
なお、第１中継サーバＡ、第２中継サーバＢ、および第３中継サーバＣの相互間の通信プロトコルとして、例えばＳＩＰが利用される。しかし、これには限定されず、他のプロトコルが利用されてもよい。
【００２５】
２．  中継サーバの構成要素
中継サーバは、ＬＡＮだけでなくＷＡＮにも接続されており、同一のＬＡＮに接続されている各クライアント端末と通信可能であるとともに、他のＬＡＮに配置された中継サーバと通信可能になっている。そのため、各中継サーバには、プライベートＩＰアドレスに加えて、グローバルＩＰアドレスが付与されている。
【００２６】
図２は、第１中継サーバＡの構成要素を示す。なお、第２中継サーバＢおよび第３中継サーバＣの構成要素は、第１中継サーバＡと同様であるので説明を省略する。
第１中継サーバＡは、インターフェース１２１と、制御部１２２と、データベース格納部１２６と、を有している。
【００２７】
インターフェース１２１は、プライベートＩＰアドレスを利用して、第１ＬＡＮ１内の端末に対して通信を実行する。インターフェース１２１は、グローバルＩＰアドレスを利用して、ＷＡＮ４に対して通信を実行する。
【００２８】
制御部１２２は、例えば、制御および演算の機能を有するＣＰＵであり、ロードされたプログラムにより各種処理を実行可能である。制御部１２２は、インターフェース１２１を介して行う様々な通信を制御する。また、制御部１２２は、データベース格納部１２６に格納される情報を、作成、更新または格納する。
本実施形態において、制御部１２２は、監視通知部１２３と、監視機能制御部１２４と、出力制御部１２５と、を含む。
【００２９】
監視通知部１２３は、他の中継サーバに接続されたクライアント端末に対して、そのクライアント端末において確立されたメディアセッションのセッション情報を監視することを通知する。具体的には、監視元としての自身の識別情報と、監視先としてのクライアント端末の識別情報を含み、監視を指示する監視情報を、後述する中継サーバ情報を参照し、監視先のクライアント端末に通知する。
ここで、セッション情報とは、クライアント端末におけるメディアセッションの確立情報およびメディアセッションを介した通信状態を示す情報である。セッション情報の詳細については後述する。
【００３０】
監視機能制御部１２４は、セッション情報の監視機能を無効化する。
【００３１】
出力制御部１２５は、監視先であるクライアント端末から受領したセッション情報の出力を制御する。具体的に、出力制御部１２５は、受領したセッション情報を、ディスプレイに出力し表示させる制御を行う。また、出力制御部１２５は、受領したセッション情報を、プリンタに出力し印刷させる制御を行うことができ、さらに受領したセッション情報をデータベース格納部１２６に保存させることもできる。
【００３２】
出力制御部１２５は、監視先であるクライアント端末においてメディアセッションが確立している間に、監視先であるクライアント端末から、一定の間隔で、例えば５秒毎、１０秒毎に、セッション情報を受領する。しかし、この例には限定されず、出力制御部１２５は、セッション情報に変更がある度にセッション情報を受領してもよい。また、出力制御部１２５は、メディアセッションの接続の終了時に、メディアセッションの確立時からのすべてのセッション情報を一度に受領してもよい。さらに、出力制御部１２５は、メディアセッションが確立されたときにセッション情報を受領し、さらにメディアセッションの接続の終了時に、メディアセッションの確立後のすべてのセッション情報を一度に受領してもよい。
【００３３】
制御部１２２を中心とした中継サーバの各機能については、後に詳述する。
【００３４】
データベース格納部１２６は、例えば、ハードディスクまたは不揮発ＲＡＭであり、各種データを保存可能である。本実施形態において、データベース格納部１２６は、中継グループ情報格納部１２７と、中継サーバ情報格納部１２８と、クライアント端末情報格納部１２９と、を含む。これら情報の具体例は後述する。
【００３５】
３．  クライアント端末の構成要素
クライアント端末は、ユーザが直接操作できる端末である。クライアント端末は、例えば、ユーザによって日々の業務に利用されるパーソナルコンピュータである。クライアント端末には、同一のＬＡＮ内でユニークに管理されたプライベートＩＰアドレスが付与される。
【００３６】
図３は、第１クライアント端末の構成要素を示す。以下、第１クライアント端末Ａ１について説明する。なお、第２クライアント端末Ａ２、第３クライアント端末Ｂ１、第４クライアント端末Ｃ１、および第５クライアント端末Ｃ２の構成要素は、第１クライアント端末Ａ１と同様であるので説明を省略する。
【００３７】
第１クライアント端末Ａ１は、インターフェース２２１と、制御部２２２と、データベース格納部２２４と、を有している。
【００３８】
インターフェース２２１は、プライベートＩＰアドレスを利用して、第１ＬＡＮ１に接続される第１中継サーバＡに対して通信を実行する。
【００３９】
制御部２２２は、例えば、制御および演算の機能を有するＣＰＵであり、ロードされたプログラムにより各種処理を実行可能である。制御部２２２は、インターフェース２２１を介して行う様々な通信を制御する。制御部２２２は、データベース格納部２２４に格納される情報およびセッション情報を、作成、更新または格納する。
【００４０】
本実施形態の制御部２２２は、セッション情報通知部２２３を含む。
セッション情報通知部２２３は、自端末に対してセッション情報の監視が通知された場合、セッション情報を監視先の中継サーバへ通知する。具体的には、受け取った監視情報により監視先の中継サーバを確認し、後述する中継サーバ情報を参照して、監視先の中継サーバにセッション情報を通知する。
制御部２２２を中心としたクライアント端末の機能については後に詳述する。
【００４１】
データベース格納部２２４は、例えば、ハードディスクまたは不揮発ＲＡＭであり、各種データを保存可能である。データベース格納部２２４は、中継グループ情報格納部２２５と、中継サーバ情報格納部２２６と、監視情報格納部２２７と、を含む。中継グループ情報および中継サーバ情報の具体例は後述する。監視情報格納部２２７には、監視情報を受け取った場合に、その監視情報が格納される。
【００４２】
４．  中継グループ情報の具体例
図４は、中継グループ情報２０の概略構成を示す。中継グループ情報は、中継通信システムにおける各中継グループの概要を示す情報である。図４は、第１中継グループが、第１中継サーバＡと、第２中継サーバＢと、第３中継サーバＣとから構成されていることを示す。
【００４３】
図５は、中継グループ情報２０の詳細構成を示す。中継グループ情報２０は、上位情報２０１、下位情報２０２から構成される。
【００４４】
上位情報２０１は、第１中継グループ自体についての情報である。「ｇｒｏｕｐ  ｉｄ」は、中継グループの識別情報を示す。「ｌａｓｔｍｏｄ」は、中継グループ情報の最新更新時刻を示す。「ｎａｍｅ」は、中継グループの名称を示す。
下位情報２０２は、第１中継サーバＡ、第２中継サーバＢ、第３中継サーバＣについての情報である。「ｓｉｔｅ  ｉｄ」は、中継サーバの識別情報を示す。「ｒｅｌ」は中継サーバが中継グループに参加することが許可されているか否かを示す。
【００４５】
中継グループ情報２０は、同一の中継グループ内における中継サーバの中継グループ情報格納部１２７に格納される。すなわち、中継グループ情報２０は、第１中継サーバＡと、第２中継サーバＢと、第３中継サーバＣとの間で共有される。さらに、中継グループ情報２０は、同一の中継グループ内におけるクライアント端末の中継グループ情報格納部２２５に格納される。その結果、中継グループ情報２０は、同一の中継グループ内における中継サーバとクライアント端末との間で共有される。
【００４６】
５．  中継サーバ情報の具体例
図６は、中継サーバ情報３０の概略構成を示す。中継サーバ情報は、中継通信システムを構成する中継サーバおよびクライアント端末の概要を示す情報である。
【００４７】
図６に示すように、第１中継サーバＡには、第１クライアント端末Ａ１および第２クライアント端末Ａ２が接続されている。第２中継サーバＢには、第３クライアント端末Ｂ１および第４クライアント端末Ｂ２が接続されている。第３中継サーバＣには、第４クライアント端末Ｃ１および第５クライアント端末Ｃ２が接続されている。
【００４８】
図７は、中継サーバ情報３０の詳細構成を示す。中継サーバ情報３０は、上位情報３０１−１、３０１−２、３０１−３、および下位情報３０２−１、３０２−２、３０２−３から構成される。
【００４９】
上位情報３０１−１、３０１−２、３０１−３は、中継サーバについての情報である。「ｓｉｔｅ  ｉｄ」は、中継サーバの識別情報を示す。「ｎａｍｅ」は、中継サーバの名称を示す。「ｓｔａｔ」は、中継サーバが起動しているか否かについての情報を示す。
下位情報３０２−１、３０２−２、３０２−３は、クライアント端末についての情報である。「ｄｉｖ」は、クライアント端末の部署名を示す。「ｇｒｏｕｐ」は、クライアント端末が所属する中継グループの識別情報を示す。「ｉｄ」は、クライアント端末の識別情報を示す。「ｎａｍｅ」は、クライアント端末の名称を示す。「ｓｉｔｅ」は、クライアント端末がログオンしている場合にログオン先の中継サーバの識別情報を示す。
【００５０】
中継サーバ情報３０は、同一の中継グループ内における中継サーバの中継サーバ情報格納部１２８において格納される。すなわち、中継サーバ情報３０は、第１中継サーバＡ、第２中継サーバＢおよび第３中継サーバＣ間で共有される。さらに、中継サーバ情報３０は、同一の中継グループ内におけるクライアント端末の中継サーバ情報格納２２６に格納される。その結果、中継サーバ情報３０は、中継サーバおよびクライアント端末間で共有される。
【００５１】
中継サーバが起動しているときには、上位情報３０１−１、３０１−２、３０１−３の「ｓｔａｔ」が「ａｃｔｉｖｅ」になっている。中継サーバが起動していないときには、「ｓｔａｔ」が空欄になっている。これにより、中継サーバが起動しているか否かについての情報が、中継通信システム全体として共有される。
【００５２】
クライアント端末が中継サーバにログオンしているときには、下位情報３０２−１、３０２−２、３０２−３の「ｓｉｔｅ」にクライアント端末のログオン先の中継サーバの識別情報が記載されている。クライアント端末が中継サーバにログオンしていないときには、「ｓｉｔｅ」は空欄になっている。これにより、クライアント端末が中継サーバにログオンしているか否かについての情報が、中継通信システム全体として共有される。
【００５３】
６．  クライアント端末情報の具体例
図８、図９および図１０は、クライアント端末情報の具体例として、クライアント端末情報４０、５０、６０をそれぞれ示す。クライアント端末情報は、中継通信システムを構成するクライアント端末の詳細を示す情報である。
【００５４】
「ａｄｄｒ」は、クライアント端末アドレス情報であり、具体的にはクライアント端末のＩＰアドレスを示す。「ｄｉｖ」は、クライアント端末の部署名を示す。「ｅｘｐｒ」は、クライアント端末有効期限情報であり、具体的にはクライアント端末のレジスト有効期限を示す。「ｇｒｏｕｐ」は、クライアント端末が所属する中継グループの識別情報を示す。「ｉｄ」は、クライアント端末の識別情報を示す。「ｎａｍｅ」は、クライアント端末の名称を示す。「ｐａｓｓ」は、クライアント端末のパスワードを示す。「ｐｏｒｔ」は、クライアント端末ポート情報であり、具体的にはクライアント端末のポート番号を示す。
【００５５】
クライアント端末情報４０は、第１中継サーバＡのクライアント端末情報格納部１２９において格納される。クライアント端末情報５０は、第２中継サーバＢのクライアント端末情報格納部１２９において格納される。クライアント端末情報６０は、第３中継サーバＣのクライアント端末情報格納部１２９において格納される。
【００５６】
７．  初期設定
図１１のシーケンス図を用いて、第１中継グループの初期設定について説明する。具体的には、図１１は、中継グループ情報、中継サーバ情報、クライアント端末情報の作成に関連する処理の流れを示す。以下、第１中継サーバＡの制御部を制御部１２２Ａ、第２中継サーバＢの制御部を制御部１２２Ｂ、第３中継サーバＣの制御部を制御部１２２Ｃとして説明する。また、以下、図２および図３中の他部についても、それが属する中継サーバまたはクライアント端末に応じて、符号の末尾にそれぞれＡ、Ｂ、Ｃ、Ａ１、Ｂ１、Ｂ２、Ｃ１、Ｃ２を付して説明する。
【００５７】
７−１．  アカウントの作成
第１中継サーバＡの管理者は、第１クライアント端末Ａ１および第２クライアント端末Ａ２のユーザに対して、アカウントを作成する（ステップＳ１、ステップＳ２：Ｃｒｅａｔｅ＿Ａｃｃｏｕｎｔ（））。第２中継サーバＢの管理者は、第３クライアント端末Ｂ１および第４クライアント端末Ｂ２のユーザに対して、アカウントを作成する（ステップＳ３、ステップＳ４：Ｃｒｅａｔｅ＿Ａｃｃｏｕｎｔ（））。第３中継サーバＣの管理者は、第５クライアント端末Ｃ１および第６クライアント端末Ｃ２のユーザに対して、アカウントを作成する（ステップＳ５、ステップＳ６：Ｃｒｅａｔｅ＿Ａｃｃｏｕｎｔ（））。
【００５８】
以上の処理において、第１中継サーバＡの制御部１２２Ａは、中継サーバ情報を作成し、中継サーバ情報格納部１２８Ａに格納する。第２中継サーバＢの制御部１２２Ｂおよび第３中継サーバＣの制御部１２２Ｃは、第１中継サーバＡと同様に、それぞれ中継サーバ情報を作成し、中継サーバ情報格納部１２８Ｂ、１２８Ｃに格納する。
【００５９】
また、第１中継サーバＡの制御部１２２Ａは、クライアント端末情報を作成して、クライアント端末情報格納部１２９Ａに格納する。第２中継サーバＢの制御部１２２Ｂおよび第３中継サーバＣの制御部１２２Ｃは、第１中継サーバＡと同様に、それぞれクライアント端末情報を作成して、クライアント端末情報格納部１２９Ｂ、１２９Ｃに格納する。
【００６０】
図１２、図１３および図１４は、中継サーバ情報３１−１、中継サーバ情報３１−２、中継サーバ情報３１−３を示す。中継サーバ情報３１−１は、第１中継サーバＡの制御部１２２Ａが作成し保存する情報である。中継サーバ情報３１−２は、第２中継サーバＢの制御部１２２Ｂが作成し保存する情報である。中継サーバ情報３１−３は、第３中継サーバＣの制御部１２２Ｃが作成し保存する情報である。
【００６１】
図１２において、上位情報３１１−１は、第１中継サーバＡについての情報である。「ｓｉｔｅ  ｉｄ」として、「ｓｅｒｖｅｒＡ＠ｒｅｌａｙ．ｎｅｔ」が設定されている。「ｎａｍｅ」として、「ＳｅｒｖｅｒＡ」が設定されている。「ｓｔａｔ」として、「ａｃｔｉｖｅ」が設定されている。
下位情報３１２−１は、第１クライアント端末Ａ１および第２クライアント端末Ａ２についての情報である。
【００６２】
第１クライアント端末Ａ１についての情報は、以下の通りである。「ｄｉｖ」として、「ｄｅｖ」が設定されている。「ｇｒｏｕｐ」として、「２００７０４０２１３３１００＠ｓｅｒｖｅｒＡ．ｒｅｌａｙ．ｎｅｔ」が設定されている。「ｉｄ」として、「ｃｌｉｅｎｔＡ１＠ＳｅｒｖｅｒＡ．ｒｅｌａｙ．ｎｅｔ」が設定されている。「ｎａｍｅ」として、「ｃｌｉｅｎｔＡ１」が設定されている。なお、図１２において「ｓｉｔｅ」は、「ｓｅｒｖｅｒＡ．ｒｅｌａｙ．ｎｅｔ」が設定されており、第１クライアント端末Ａ１および第２クライアント端末Ａ２のユーザは第１中継サーバＡにログオンしていることになっているが、実際は図１２のステップＳ１〜Ｓ６の段階では「ｓｉｔｅ」は空欄になっている。
【００６３】
第２クライアント端末Ａ２についての情報は、以下の通りである。「ｄｉｖ」として、「ｄｅｖ」が設定されている。「ｇｒｏｕｐ」として、「２００７０４０２１３３１００＠ｓｅｒｖｅｒＡ．ｒｅｌａｙ．ｎｅｔ」が設定されている。「ｉｄ」として、「ｃｌｉｅｎｔＡ２＠ｓｅｒｖｅｒＡ．ｒｅｌａｙ．ｎｅｔ」が設定されている。「ｎａｍｅ」として、「ｃｌｉｅｎｔＡ２」が設定されている。なお、「ｓｉｔｅ」の表記は、第１クライアント端末Ａ１の場合と同様である。
【００６４】
中継サーバ情報３１−２および中継サーバ情報３１−３の内容は、中継サーバ情報３１１の内容と同様であるので、説明を省略する。
【００６５】
７−２．  中継グループ情報の作成
図１１において、第１中継サーバＡは、第２中継サーバＢに対して、中継通信システムのグループ構築を要求する（ステップＳ７：Ｓｅｔ＿Ｇｒｏｕｐ（））。第１中継サーバＡの制御部１２２Ａは、中継グループ情報を作成して中継グループ情報格納部１２７Ａに格納する。また、第２中継サーバＢの制御部１２２Ｂは、中継グループ情報を作成して中継グループ情報格納部１２７Ｂに格納する。次に、第１中継サーバＡは、第２中継サーバＢに対して中継サーバ情報の交換を要求する（ステップＳ８：Ｅｘｃｈａｎｇｅ（ｄｂ））。これにより、第１中継サーバＡは第２中継サーバＢに対して中継サーバ情報を送信し、第２中継サーバＢは第１中継サーバＡに対して中継サーバ情報を送信する。第１中継サーバＡの制御部１２２Ａおよび第２中継サーバＢの制御部１２２Ｂは、中継サーバ情報を合成して新たな中継サーバ情報を作成し、それをそれぞれ中継サーバ情報格納部１２８Ａ、１２８Ｂに格納する。なお、図示していないが、ステップＳ７およびステップＳ８と同様の処理は、第１中継サーバＡと第３中継サーバＣとの間でも実行され、さらに、第２中継サーバＢと第３中継サーバＣとの間でも実行される。その結果、第１中継サーバＡ、第２中継サーバＢ、および第３中継サーバＣの間で共通の中継サーバ情報が保有される。
【００６６】
７−３．  ログオン動作時における中継サーバ情報の更新
第２クライアント端末Ａ２のユーザは、第２クライアント端末Ａ２の識別情報とパスワードを入力して、第１中継サーバＡにログオンする（ステップＳ９：Ｒｅｇｉｓｔｅｒ）。第１中継サーバＡの制御部１２２Ａは、クライアント端末情報を参照して、第２クライアント端末Ａ２のユーザ認証を行う。制御部１２２Ａは、クライアント端末情報を更新する。
【００６７】
続いて、第２クライアント端末Ａ２は、第１中継サーバＡに対して、中継グループ情報および中継サーバ情報の提供を要求する（ステップＳ１０：Ｇｅｔ（））。第１中継サーバＡは、第２クライアント端末Ａ２に対して、中継グループ情報および中継サーバ情報を送信する。第２クライアント端末Ａ２の制御部２２２Ａ２は、中継グループ情報および中継サーバ情報を格納する。
【００６８】
第１中継サーバＡの制御部１２２Ａは、中継サーバ情報を参照し、第２中継サーバＢに関する「ｓｔａｔ」が「ａｃｔｉｖｅ」になっていることを確認した後に、中継サーバ情報が更新されたことを第２中継サーバＢに通知すべきと判断する。そこで第１中継サーバＡは、第２中継サーバＢに対して、中継サーバ情報が更新されたことを通知する（ステップＳ１１：Ｎｏｔｉｆｙ（））。第２中継サーバＢの制御部１２２Ｂは、中継サーバ情報を更新し、それを中継サーバ情報格納部１２８Ｂに格納する。なお、第１中継サーバＡは、中継サーバ情報が更新されたことを、第３中継サーバＣにも通知する（ステップＳ１２：Ｎｏｔｉｆｙ（））。
【００６９】
第１クライアント端末Ａ１、第３クライアント端末Ｂ１、第４クライアント端末Ｂ２、第５クライアント端末Ｃ１、第６クライアント端末Ｃ２のユーザが各中継サーバにログオンすれば、同様にして中継サーバにおける中継サーバ情報が更新される。また、同様にして、各クライアント端末のユーザがログオフした場合にも中継サーバにおける中継サーバ情報が更新される。
【００７０】
８．  各情報の共有
８−１．  中継グループ情報の共有
まず、中継グループの情報が変更された場合の共有処理について説明する。
【００７１】
図１５は、中継グループ情報および中継サーバ情報の共有に関わる処理の流れを示す図である。図１５において、第１中継グループに変更が生じると、例えば、第１中継サーバＡは、第２中継サーバＢに対して、変更された中継グループ情報を送信する（ステップＳ２１：Ｓｅｔ＿Ｇｒｏｕｐ（中継グループ情報））。すると、第２中継サーバＢは、第３クライアント端末Ｂ１と第４クライアント端末Ｂ２に中継グループ情報を送信する（ステップＳ２１．１、ステップＳ２１．２：Ｓｅｔ＿Ｇｒｏｕｐ（中継グループ情報））。第３クライアント端末Ｂ１および第４クライアント端末Ｂ２からそれぞれＯＫレスポンスが返ってくると、第２中継サーバＢは第１中継サーバＡにＯＫレスポンスを返す。
【００７２】
さらに、第１中継サーバＡは、第２クライアント端末Ａ２に変更された中継グループ情報を送信する（ステップＳ２２：Ｓｅｔ＿Ｇｒｏｕｐ（中継グループ情報））。第２クライアント端末Ａ２は、第１中継サーバＡにＯＫレスポンスを返す。第１中継サーバＡは、第１クライアント端末Ａ１に、変更された中継グループ情報を送信する（ステップＳ２３：Ｓｅｔ＿Ｇｒｏｕｐ（中継グループ情報））。第１クライアント端末Ａ１は第１中継サーバＡにＯＫレスポンスを返す。
【００７３】
第１中継サーバＡは、第３中継サーバＣに対して、変更された中継グループ情報を送信する（ステップＳ２１．３：Ｓｅｔ＿Ｇｒｏｕｐ（中継グループ情報））。すると、第３中継サーバＣは、第４クライアント端末Ｃ１と第５クライアント端末Ｃ２に、中継グループ情報を送信する（ステップＳ２１．３．１、ステップＳ２１．３．２：Ｓｅｔ＿Ｇｒｏｕｐ（中継グループ情報））。第４クライアント端末Ｃ１および第５クライアント端末Ｃ２からそれぞれＯＫレスポンスが返ってくると、第３中継サーバＣは第１中継サーバＡにＯＫレスポンスを返す。
以上の処理により、第１中継グループ内の全ての中継サーバおよびクライアント端末が中継グループ情報を共有する。
【００７４】
８−２．  中継サーバ情報の共有
次に、中継サーバ情報の共有について説明する。ここでは、共有のための処理は、イベント通知のフレームワークを用いる。イベント通知において、購読者はリソースの状態通知を要求するエージェントであり、通知者はリソースの状態を通知するエージェントである。購読期間中にリソースの状態に変化があったときには、通知者から購読者に変化が通知される。
【００７５】
第１中継サーバＡは、第２中継サーバＢに対して、中継サーバ情報の購読を申し込む（ステップＳ２４：Ｓｕｂｓｃｒｉｂｅ（））。第２中継サーバＢの制御部１２２Ｂは、中継サーバ情報が示す状態に変更があった場合には、自ら保持している中継サーバ情報を更新する。そして、第２中継サーバＢは、更新した中継サーバ情報を第１中継サーバＡに送信する。第１中継サーバＡの制御部１２２Ａは、第２中継サーバＢから送信されてきた中継サーバ情報を利用して、中継サーバ情報を更新する。第１中継サーバＡは、中継サーバ情報が更新されたことを第１クライアント端末Ａ１に通知し（ステップＳ２５：Ｎｏｔｉｆｙ（中継サーバ情報））、さらに第２クライアント端末Ａ２に通知する（ステップＳ２６：Ｎｏｔｉｆｙ（中継サーバ情報））。
【００７６】
次に、第１中継サーバＡは、第３中継サーバＣに対して、中継サーバ情報の購読を申し込む（ステップＳ２７：Ｓｕｂｓｃｒｉｂｅ（））。第３中継サーバＣの制御部１２２Ｃは、中継サーバ情報が示す状態に変更があった場合に、自ら保持している中継サーバ情報を更新する。そして、第３中継サーバＣは、更新した中継サーバ情報を第１中継サーバＡに送信する。第１中継サーバＡの制御部１２２Ａは、第３中継サーバＣから送信されてきた中継サーバ情報を利用して、中継サーバ情報を更新する。第１中継サーバＡは、中継サーバ情報が更新されたことを第１クライアント端末Ａ１に通知し（ステップＳ２８：Ｎｏｔｉｆｙ（中継サーバ情報））、さらに第２クライアント端末Ａ２に通知する（ステップＳ２９：Ｎｏｔｉｆｙ（中継サーバ情報））。
【００７７】
第２中継サーバＢは、第１中継サーバＡに対して、中継サーバ情報の購読を申し込む（ステップＳ３０：Ｓｕｂｓｃｒｉｂｅ（））。第１中継サーバＡの制御部１２２Ａは、中継サーバ情報が示す状態に変更があった場合に、自ら保持している中継サーバ情報を更新する。そして、第１中継サーバＡは、更新した中継サーバ情報を第２中継サーバＢに送信する。第２中継サーバＢの制御部１２２Ｂは、第１中継サーバＡから送信されてきた中継サーバ情報を利用して、中継サーバ情報を更新する。第２中継サーバＢは、中継サーバ情報が更新されたことを第３クライアント端末Ｂ１に通知し（ステップＳ３１：Ｎｏｔｉｆｙ（中継サーバ情報））、さらに第４クライアント端末Ｂ２に通知する（ステップＳ３２：Ｎｏｔｉｆｙ（中継サーバ情報））。
【００７８】
第２中継サーバＢは、第３中継サーバＣに対して、中継サーバ情報の購読を申し込む（ステップＳ３３：Ｓｕｂｓｃｒｉｂｅ（））。第３中継サーバＣの制御部１２２Ｃは、中継サーバ情報が示す状態に変更があった場合に、自ら保持している中継サーバ情報を更新する。そして、第３中継サーバＣは、更新した中継サーバ情報を第２中継サーバＢに送信する。第２中継サーバＢの制御部１２２Ｂは、第３中継サーバＣから送信されてきた中継サーバ情報を利用して、中継サーバ情報を更新する。第２中継サーバＢは、中継サーバ情報が更新されたことを第３クライアント端末Ｂ１に通知し（ステップＳ３４：Ｎｏｔｉｆｙ（中継サーバ情報））、さらに第４クライアント端末Ｂ２に通知する（ステップＳ３５：Ｎｏｔｉｆｙ（中継サーバ情報））。
【００７９】
第３中継サーバＣは、第２中継サーバＢに対して、中継サーバ情報の購読を申し込む（ステップＳ３６：Ｓｕｂｓｃｒｉｂｅ（））。第２中継サーバＢの制御部１２２Ｂは、中継サーバ情報が示す状態に変更があった場合に、自ら保持している中継サーバ情報を更新する。そして、第２中継サーバＢは、更新した中継サーバ情報を第３中継サーバＣに送信する。第３中継サーバＣの制御部１２２Ｃは、第２中継サーバＢから送信されてきた中継サーバ情報を利用して、中継サーバ情報を更新する。第３中継サーバＣは、中継サーバ情報が更新されたことを第５クライアント端末Ｃ１に通知し（ステップＳ３７：Ｎｏｔｉｆｙ（中継サーバ情報））、さらに第６クライアント端末Ｃ２に通知する（ステップＳ３７：Ｎｏｔｉｆｙ（中継サーバ情報））。
【００８０】
第３中継サーバＣは、第１中継サーバＡに対して、中継サーバ情報の購読を申し込む（ステップＳ３９：Ｓｕｂｓｃｒｉｂｅ（））。第１中継サーバＡの制御部１２２Ａは、中継サーバ情報が示す状態に変更があった場合に、自ら保持している中継サーバ情報を更新する。そして、第１中継サーバＡは、更新した中継サーバ情報を第３中継サーバＣに送信する。第３中継サーバＣの制御部１２２Ｃは、第１中継サーバＡから送信されてきた中継サーバ情報を利用して、中継サーバ情報を更新する。第３中継サーバＣは、中継サーバ情報が更新されたことを第５クライアント端末Ｃ１に通知し（ステップＳ４０：Ｎｏｔｉｆｙ（中継サーバ情報））、さらに第６クライアント端末Ｃ２に通知する（ステップＳ４１：Ｎｏｔｉｆｙ（中継サーバ情報））。
【００８１】
以上の処理により、第１中継サーバＡ、第２中継サーバＢ、第３中継サーバＣは、中継サーバ情報が更新された場合にも、直ちに更新された中継サーバ情報を共有する。したがって、第１中継サーバＡ、第２中継サーバＢおよび第３中継サーバＣは、他の中継サーバの起動状態、中継サーバに接続されているクライアント端末の種類およびログオン状態を常に知ることができる。
【００８２】
８−３．  情報共有のまとめ
中継通信システムにおいて、ＬＡＮおよびクライアント端末の増減状態および接続状態が変化した場合、一の中継サーバは、状態変化を認識したときには、その内容に応じて、中継グループ情報、中継サーバ情報、クライアント端末情報を直ちに更新する。
【００８３】
そして、一の中継サーバは、中継グループ情報および中継サーバ情報に記載されている他の中継サーバに、中継グループ情報および中継サーバ情報が更新されたことを直ちに通知する。さらに、一の中継サーバは、クライアント端末情報に記載されているクライアント端末に、中継グループ情報および中継サーバ情報が更新されたことを直ちに通知する。
【００８４】
しかし、一の中継サーバは、他の中継サーバが中継グループ情報および中継サーバ情報に記載されているとしても、他の中継サーバが未接続状態にあると判断したときには、他の中継サーバに直ちに通知することはない。さらに、一の中継サーバは、クライアント端末がクライアント端末情報に記載されているとしても、クライアント端末が未接続状態にあると判断したときには、クライアント端末に直ちに通知することはない。
【００８５】
これにより、ＬＡＮおよびクライアント端末の増減状態および接続状態についての情報は、中継通信システム全体としてリアルタイムに共有される。
【００８６】
９．  セッション情報監視の処理の流れ
次に、同一中継グループに属する中継サーバおよびクライアント端末内で、中継グループ情報、中継サーバ情報およびクライアント端末情報が共有されている場合に、中継サーバが、自身とは異なるＬＡＮに接続されたクライアント端末のセッション情報を監視する処理の流れを説明する。
以下では、第１中継サーバＡ、第２中継サーバＢ、第３中継サーバＣ、第１クライアント端末Ａ１、第３クライアント端末Ｂ１、第４クライアント端末Ｂ２、および第５クライアント端末Ｃ１が、第１中継グループを構成しているとする。
【００８７】
前述のとおり、セッション情報とは、クライアント端末におけるメディアセッションの確立情報およびメディアセッションを介した通信状態を示す。
図１６は、セッション情報の詳細構成を示す図である。セッション情報７０は、セッション確立情報７０１およびパケット情報７０２を含む。
【００８８】
セッション確立情報７０１において、「ｓｓｎ  ＩＤ」は、メディアセッションの識別情報を示す。「ｓｒｃ」とは、メディアセッションを介してデータ転送を行う転送元であるクライアント端末情報の識別情報を示す。「ｄｓｔ」は、メディアセッションを介したデータ転送の転送先であるクライアント端末情報の識別情報を示す。「ｓｔａｒｔｔｉｍｅ」は、メディアセッションが確立された時刻を示す。「ｌａｓｔｍｏｄ」は、メディアセッションの最終更新時刻を示す。「ｅｎｄｔｉｍｅ」は、メディアセッションの終了時刻を示す。
【００８９】
パケット情報７０２は、送信パケット情報７０２−１と受信パケット情報７０２−２とを含む。
送信パケット情報７０２−１は、メディアセッションを介してクライアント端末が転送したデータに関し、「ｔｘ  ｐａｃｋｅｔ」は、送信したパケット数を示す。「ｂｙｔｅｓ」は、送信したパケットのバイト数を示す。「ｌａｓｔｍｏｄ」は、送信パケット情報の最終更新時刻を示す。
受信パケット情報７０２−１は、メディアセッションを介してクライアント端末が受信したデータに関し、「ｒｘ  ｐａｃｋｅｔ」は、受信したパケット数を示す。「ｂｙｔｅｓ」は、受信したパケットのバイト数を示す。「ｌａｓｔｍｏｄ」は、受信パケット情報の最終更新時刻を示す。
【００９０】
セッション情報７０は、他のクライアント端末とのメディアセッションが確立された際に、クライアント端末の制御部２２２によって作成される。そして、セッション情報に変化が起きた場合には、例えばメディアセッションを介してクライアント端末間でデータの転送がされた場合には、クライアント端末の制御部２２２によって、随時更新される。
【００９１】
９−１．  第１実施例
以下、第１中継サーバＡが、第３クライアント端末Ｂ１のセッション情報を監視する例を説明する。
【００９２】
図１７は、第１実施例におけるセッション情報監視に関わる処理の流れを示す図である。
第１中継サーバＡの制御部１２２Ａは、中継グループ情報を参照し、第２中継サーバＢに対して、第３クライアント端末Ｂ１のセッション情報を監視すること示す監視情報を通知する（ステップＳ５１：Ｎｏｔｉｆｙ＿Ｍｏｎｉｔｏｒ（））。第２中継サーバＢの制御部１２２Ｂは、中継グループ情報を参照し、第３クライアント端末Ｂ１に対して監視情報を通知する（ステップＳ５１．１：Ｎｏｔｉｆｙ＿Ｍｏｎｉｔｏｒ（））。
【００９３】
前述のとおり、監視情報は、監視先のクライアント端末のセッション情報を監視する指示を示し、具体的には、監視元としての中継サーバの識別情報および監視先としてのクライアント端末の識別情報を含む。監視情報は、例えば、第１中継サーバＡの管理者の操作により第１中継サーバＡにて作成される。第１中継サーバＡの管理者は、中継サーバ情報を参照し、第１中継グループ内のどのクライアント端末がログオン状態であるかを確認することができる。確認の結果、第１中継サーバＡの管理者は、第３クライアント端末Ｂ１のセッション情報の監視を希望するときには、第３クライアント端末Ｂ１を監視先として選択する。そして、その選択に基づき、第１中継サーバＡにより監視情報が作成される。本実施形態では、監視情報には、第３クライアント端末Ｂ１が監視先であり、第１中継サーバＡが監視元であるとの情報が含まれる。なお、ここでは、第３クライアント端末Ｂ１を監視先とした。しかし、第１中継サーバＡは、中継サーバ情報を参照することで、同一中継グループ内であって他の中継サーバに接続されたクライアント端末のなかから、その他のログイン状態のクライアント端末を選択し、監視することも当然に可能である。
【００９４】
監視情報が通知された第３クライアント端末Ｂ１の制御部２２２Ｂ１は、監視情報を監視情報格納部２２７Ｂ１に格納する。続いて、制御部２２２Ｂ１は、第２中継サーバＢに対してＯＫレスポンスを返す。ＯＫレスポンスを受けた第２中継サーバＢは、第１中継サーバＡに対してＯＫレスポンスを返す。
【００９５】
この状態において、第３クライアント端末Ｂ１に、第１クライアント端末Ａ１との間で通信を行う必要性が生じたとする。例えば、第３クライアント端末Ｂ１のユーザが、第１クライアント端末Ａ１対してデータを転送するように指示を行ったとする。
【００９６】
すると、第３クライアント端末Ｂ１は、以下のように第１クライアント端末Ａ１との間にメディアセッションを確立させる。
【００９７】
まず、第３クライアント端末Ｂ１の制御部２２２Ｂ１は、中継サーバ情報を参照し、第２中継サーバＢに対して、メディアセッションを確立するための開始要求を行う（ステップＳ５２：Ｉｎｖｉｔｅ（ｃｌｉｅｎｔＡ１，ｃｌｉｅｎｔＢ１））。このＩｎｖｉｔｅコマンドには、送信元としての第３クライアント端末Ｂ１と送信先としての第１クライアント端末Ａ１の指定が含まれている。
【００９８】
開始要求を受けた第２中継サーバＢの制御部１２２Ｂは、中継サーバ情報を参照し、第１中継サーバＡに対して、メディアセッションを確立するための開始要求を行う（ステップＳ５２．１：Ｉｎｖｉｔｅ（ｃｌｉｅｎｔＡ１，ｃｌｉｅｎｔＢ１））。続いて、第１中継サーバＡの制御部１２２Ａは、中継サーバ情報を参照し、第１クライアント端末Ａ１に対してメディアセッションを確立するための開始要求を行う（ステップＳ５２．１．１：Ｉｎｖｉｔｅ（ｃｌｉｅｎｔＡ１，ｃｌｉｅｎｔＢ１））。
【００９９】
ここで、第１クライアント端末Ａ１から、第１中継サーバＡおよび第２中継サーバＢを介して第３クライアント端末Ｂ１にＯＫレスポンスが返されると、第３クライアント端末Ｂ１は、第２中継サーバＢにＡＣＫを送信する（ステップＳ５３：ＡＣＫ（））。第２中継サーバＢは、第１中継サーバＡに対してＡＣＫを送信する（ステップＳ５３．１：ＡＣＫ（））。第１中継サーバＡは、第１クライアント端末Ａ１に対してＡＣＫを送信する（ステップＳ５３．１．１：ＡＣＫ（））。
【０１００】
第１クライアント端末Ａ１がＡＣＫを受信したとき、第１中継サーバＡおよび第２中継サーバＢを介して、第３クライアント端末Ｂ１と第１クライアント端末Ａ１との間でメディアセッションが確立される。すなわち、メディアセッションを介して、第３クライアント端末Ｂ１および第１クライアント端末Ａ１同士が双方向に通信データの転送を行うことが可能となる。
【０１０１】
メディアセッションが確立されると、第３クライアント端末Ｂ１は、監視情報格納部２２７の監視情報を参照し、監視元である第１中継サーバＡに対して、セッション情報を通知する。
【０１０２】
まず、第３クライアント端末Ｂ１の制御部２２２Ｂ１は、中継サーバ情報を参照し、第２中継サーバＢに対して、セッション情報を通知する（ステップＳ５４：Ｎｏｔｉｆｙ＿Ｍｏｎｉｔｏｒ（ｓｅｓｓｉｏｎ＿ｉｎｆｏ））。続いて、第２中継サーバＢの制御部１２２Ｂは、中継サーバ情報を参照し、第１中継サーバＡに対して、セッション情報７０を通知する（ステップＳ５４．１：Ｎｏｔｉｆｙ＿Ｍｏｎｉｔｏｒ（ｓｅｓｓｉｏｎ＿ｉｎｆｏ））。
【０１０３】
ここで通知されるセッション情報７０は、例えば図１８のように表される。図１８は、データ転送前のセッション情報７０の詳細構成を示す図である。図１８において、「ｓｒｃ」は、第３クライアント端末Ｂ１を示し「ｄｓｔ」は、第１クライアント端末Ａ１を示す。また、これまでに第３クライアント端末Ｂ１から第１クライアント端末Ａ１に対してデータの転送はなされていないため、「ｌａｓｔｍｏｄ」、「ｅｎｄｔｉｍｅ」およびパケット情報は空欄である。このセッション情報は、単に第３クライアント端末Ｂ１と第１クライアント端末Ａ１との間に、メディアセッションが確立されたということを示す。
【０１０４】
セッション情報が通知された第１中継サーバＡの制御部１２２Ａは、第２中継サーバＢに対してＯＫレスポンスを返す。続いて、制御部１２２Ａは、通知されたセッション情報を、第１中継サーバＡに接続されたディスプレイに出力し、セッション情報を表示させる。第２中継サーバＢは、第３クライアント端末Ｃ１に対してＯＫレスポンスを返す。
【０１０５】
以上の処理により、セッション情報が表示されたディスプレイを参照することで、第１中継サーバＡの管理者は、第３クライアント端末と第１クライアント端末との間にメディアセッションが確立されたことを確認することができる。
【０１０６】
その後、第３クライアント端末Ｂ１が、メディアセッションを介して第１クライアント端末Ａ１に対して通信データを転送する（ステップＳ５５：ｓｅｎｄ（ｄａｔａ））。第１クライアント端末Ａ１は、第３クライアント端末Ｂ１に対して、ｒｅｃｖ（ｄａｔａ）を通知する。
このとき、第３クライアント端末Ｂ１は、セッション情報を更新し、更新したセッション情報を、以下のように第１中継サーバＡに対して通知する。
【０１０７】
すなわち、第３クライアント端末Ｂ１の制御部２２２Ｂ１は、中継サーバ情報を参照し、第２中継サーバＢに対して更新されたセッション情報を通知する（ステップＳ５６：Ｎｏｔｉｆｙ＿Ｍｏｎｉｔｏｒ（ｓｅｓｓｉｏｎ＿ｉｎｆｏ））。続いて、第２中継サーバＢの制御部１２２Ｂは、第１中継サーバＡに対して、更新されたセッション情報を通知する（ステップＳ５６．１：Ｎｏｔｉｆｙ＿Ｍｏｎｉｔｏｒ（ｓｅｓｓｉｏｎ＿ｉｎｆｏ））。
【０１０８】
ここで通知されるセッション情報は、例えば前述の図１６のように示される。図１８に示されるデータ通信前のセッション情報とは異なり、パケット情報７０２には、ステップＳ５５におけるデータ転送に関する情報が示される。すなわち、送信パケット情報７０２−１では、第３クライアント端末Ｂ１から第１クライアント端末Ａ１に対して転送されたデータのパケット数、そのパケットのバイト数、および更新時刻が示される。また、受信パケット情報７０２−２では、第３クライアント端末Ｂ１が第１クライアント端末Ａ１から受領した「ＯＫ」レスポンスに関するデータのパケット数、パケットのバイト数、および更新時刻が示される。さらに、セッション確立情報７０１の「ｌａｓｔｍｏｄ」の欄には、送信パケット情報７０２−１および受信パケット情報７０２−２の最終更新時刻のうち、より新しいほうの最終更新時刻が示される。
【０１０９】
第１中継サーバＡの制御部１２２Ａは、第２中継サーバＢに対してＯＫレスポンスを返すとともに、通知されたセッション情報を、第１中継サーバＡに接続されたディスプレイに出力し、セッション情報を表示させる。第２中継サーバＢは、第３クライアント端末Ｃ１に対してＯＫレスポンスを返す。
【０１１０】
なお、第１中継サーバＡによる出力によってディスプレイに表示されたセッション情報は、最新のセッション情報のみが表示されてもよい。一方、複数のセッション情報が、例えばステップＳ５４で通知されたセッション情報とステップＳ５６で通知されたセッション情報とが、同時に表示されてもよい。
また、第１中継サーバＡは、受領したセッション情報を、ディスプレイに表示させるのではなく、プリンタに出力し印刷させてもよいし、データベース格納部１２６Ａに出力して保存してもよい。
【０１１１】
データの転送が終了した場合、第３クライアント端末Ｂ１は、第１クライアント端末Ａ１に対して、接続終了要求を通知する（ステップＳ５７：ＢＹＥ（））。接続終了要求を通知された第１クライアント端末Ａ１がＯＫレスポンスを返すと、実際に接続が終了される。
【０１１２】
第１中継サーバＡの制御部１２２Ａは、第３クライアント端末Ｂ１のセッション情報の監視を終了する場合は、第２中継サーバＢを介して、第３クライアント端末Ｂ１に監視終了要求を通知する（ステップＳ５８、Ｓ５８．１：Ｎｏｔｉｆｙ＿ＭｏｎｉｔｏｒＥｎｄ（））。監視終了要求を通知された第３クライアント端末Ｂ１が、ＯＫレスポンスを返すと、実際にセッション情報の監視が終了される。
【０１１３】
なお、上記では、説明を容易にするために、メディアセッションの確立時およびメディアセッションを介したデータの転送時、すなわちセッション情報の変更時に、第３クライアント端末Ｂ１が、セッション情報を第１中継サーバＡに対して通知する例を挙げて説明した。
しかし、この例には限定されず、第３クライアント端末Ｂ１は、以下のようなタイミングで、セッション情報を第１中継サーバＡに対して通知してもよい。
【０１１４】
例えば、第３クライアント端末Ｂ１と第１クライアントＡ１との間でメディアセッションが確立されている間に、第３クライアント端末Ｂ１は、一定の間隔で、例えば５秒毎、１０秒毎に、セッション情報を第１中継サーバＡに通知してもよい。
また、第３クライアント端末Ｂ１は、一定の間隔で第１中継サーバＡに通知するのではなく、メディアセッションの接続の終了時にそれらセッション情報を一度に第１中継サーバＡに通知してもよい。
さらに、第３クライアント端末Ｂ１は、第３クライアント端末Ｂ１と第１クライアントＡ１との間でメディアセッションが確立された際に、まずセッション情報を第１中継サーバＡに通知し、その後のセッション情報についてはメディアセッションの接続の終了時に、一度に第１中継サーバＡに通知してもよい。
【０１１５】
本実施例によると、従来は困難であった、自身とは異なる中継サーバに接続されたクライアント端末の通信状況の確認が可能になる。
つまり、クライアント端末間においてメディアセッションが確立されると、クライアント端末間で直接データ転送がなされる。そのため、これまでは、中継サーバが、他のＬＡＮに接続されたクライアント端末に確立されたメディアセッションのセッション状態を取得し確認することが困難であった。
しかし、本実施例によると、上記のとおり、中継サーバ情報を用いることで、第１中継サーバＡは、第３クライアント端末Ｂ１におけるセッション情報を監視し、通信状況を確認することができるようになる。
【０１１６】
９−２．  第２実施例
図１９は、セッション情報監視に関わる処理の流れの第２実施例を示す。ここでは、第１中継サーバＡが、第５クライアント端末Ｃ１のセッション情報を監視する例を説明する。
【０１１７】
図１９で示す第２実施例が上述の第１実施例と異なる点は、第１中継サーバＡが、第２中継サーバＢに接続されたクライアント端末と、第１中継サーバＡとは異なる第３中継サーバＣに接続されたクライアント端末との間で確立されたメディアセッションのセッション情報を監視する点にある。その他については、第１実施例と同様の処理を行う。
【０１１８】
この実施例では、第１中継サーバＡは、第３中継サーバＣを介して、第５クライアント端末Ｃ１に対して、セッション情報を監視することを通知する（ステップＳ６１、Ｓ６１．１：Ｎｏｔｉｆｙ＿Ｍｏｎｉｔｏｒ（））。
監視の通知を受けた第５クライアント端末Ｃ１に、第４クライアント端末Ｂ２との間でデータ転送の必要が生じると、これらクライアント端末の間に、メディアセッションが確立される（ステップＳ６２、Ｓ６３）。
メディアセッションが確立されると、第５クライアント端末Ｃ１は、第３中継サーバＣを介して、セッション情報を第１中継サーバＡに通知する（ステップＳ６４、６４．１：Ｎｏｔｉｆｙ＿Ｍｏｎｉｔｏｒ（ｓｅｓｓｉｏｎ＿ｉｎｆｏ））。このセッション情報は、第５クライアント端末Ｃ１と第４クライアント端末Ｂ２との間に、メディアセッションが確立されたことを示す。
【０１１９】
第５クライアント端末Ｃ１は、第４クライアント端末Ｂ２に対してデータを転送する（ステップＳ６５：ｓｅｎｄ（ｄａｔａ））。すると、第４クライアント端末Ｂ２は、第５クライアント端末Ｃ１に対して、ｒｅｃｖ（ｄａｔａ）を通知する。
【０１２０】
このとき、第５クライアント端末Ｃ１は、セッション情報を更新し、第３中継サーバＣを介して、第１中継サーバＡに対して更新したセッション情報を通知する（ステップＳ６６：Ｎｏｔｉｆｙ＿Ｍｏｎｉｔｏｒ（ｓｅｓｓｉｏｎ＿ｉｎｆｏ））。このセッション情報は、ステップＳ６５におけるデータ転送に関する情報を示す。
【０１２１】
第１中継サーバＡの制御部１２２Ａは、第３中継サーバＣに対してＯＫレスポンスを返すとともに、通知されたセッション情報を、第１中継サーバＡに接続されたディスプレイに対して出力し、セッション情報を表示させる。
【０１２２】
データの転送が終了した場合、第５クライアント端末Ｃ１は、第４クライアント端末Ｂ２に対して、接続終了要求を通知する（ステップＳ６７：ＢＹＥ（））。接続終了要求を通知された第４クライアント端末Ｂ２がＯＫレスポンスを返すと、実際に接続が終了される。
【０１２３】
第１中継サーバＡの制御部１２２Ａは、第５クライアント端末Ｃ１のセッション情報の監視を終了する場合は、第３中継サーバＣを介して、第５クライアント端末Ｃ１に監視終了要求を通知する（ステップＳ６８、Ｓ６８．１：Ｎｏｔｉｆｙ＿ＭｏｎｉｔｏｒＥｎｄ（））。監視終了要求を通知された第５クライアント端末Ｃ１が、ＯＫレスポンスを返すと、実際にセッション情報の監視が終了される。
【０１２４】
このようにして、第１中継サーバＡの管理者は、第１中継サーバＡとは異なる第２中継サーバおよび第３中継サーバにそれぞれ接続されたクライアント端末間における、セッション情報を監視することができる。
【０１２５】
このような第２実施例は、遠隔保守システムに適用されることができる。例えば、図１において、第２ＬＡＮ２を、ユーザが使用するユーザネットワークとする。また、第１ＬＡＮ１および第３ＬＡＮ３を、第２ＬＡＮ２の遠隔保守を行う保守会社が使用するネットワークであると仮定する。そして、第１ＬＡＮ１は、ユーザからの問い合わせ等を受け付けるコールセンタとし、第３ＬＡＮ３は、保守会社のサービスマンのコンピュータと接続された保守センタと仮定する。
【０１２６】
この場合において、ユーザが使用する第４クライアント端末Ｂ２に何らかのトラブルが発生したとき、サービスマンは、第５クライアント端末Ｃ１を使用して第４クライアント端末Ｂ２の遠隔保守を行う。このとき、コールセンタの第１中継サーバＡは、サービスマンの第５クライアント端末Ｃ１に対してセッション情報を監視することを通知し、ユーザの使用する第４クライアント端末Ｂ２との間で何らかのデータ転送が行われていることを確認することができる。
【０１２７】
１０．他の実施形態
以上、本発明の一実施形態について説明したが、本発明は上記実施形態に限定されるものではなく、発明の要旨を逸脱しない範囲で種々の変更が可能である。
【０１２８】
（１）セッション情報の監視先のクライアント端末および監視先のクライアント端末との間でメディアセッションが確立されるクライアント端末は、同一の中継グループ内であれば、いずれのクライアント端末でもあり得る。従って、例えば第１中継サーバＡが監視元である場合に、監視先となるクライアント端末が同一ＬＡＮ内に接続された第１クライアント端末Ａ１であり、第１クライアント端末Ａ１との間にメディアセッションが確立されるクライアント端末が、同一ＬＡＮ内に接続された第２クライアント端末Ａ２であってもよい。
【０１２９】
（２）セッション情報の監視は、監視先のクライアント端末が、監視情報を参照して終了させてもよい。具体的には、監視情報に、監視元としての中継サーバの識別情報および監視先としてのクライアント端末の識別情報だけでなく、監視期間に関する情報を含ませておく。そして、監視先であるクライアント端末は、その監視期間情報に基づき、監視元の中継サーバに対するセッション情報の通知を終了し、中継サーバによるセッション情報の監視を終了させる。
【０１３０】
ここで、監視期間情報は、具体的な監視終了時刻を含むものであってもよい。また、メディアセッションが確立されている期間が監視期間であることを指示するものであってもよい。すなわち、セッション情報におけるメディアセッションの終了時刻を示す「ｅｎｄｔｉｍｅ」が、セッション情報の監視の終了時であることを指示するものであってもよい。
【０１３１】
（３）複数のセッション情報監視が一度に行われてもよい。すなわち、第１中継サーバＡより、第３クライアント端末Ｂ１および第５クライアント端末Ｃ１に対して、同時にメディアセッションを監視することを示す通知がなされ、上記の第１実施例および第２実施例におけるセッション情報監視の処理が同時に進行されてもよい。
【０１３２】
（４）セッション情報が出力されるディスプレイまたはプリンタは、第１中継サーバＡに接続されたものには限定されない。例えば、その中継サーバと同一ＬＡＮ内に接続されたクライアント端末に接続されていてもよい。
【産業上の利用可能性】
【０１３３】
本発明は、互いに通信可能な複数の中継サーバと、複数のクライアント端末と、クライアント端末を中継サーバに接続するＬＡＮとを有する中継通信システム、およびそれに用いられる中継サーバに広く適用できる。
【符号の説明】
【０１３４】
１      第１ＬＡＮ
２      第２ＬＡＮ
３      第３ＬＡＮ
４      ＷＡＮ
３０    中継サーバ情報
４０    クライアント端末情報
５０    クライアント端末情報
６０    クライアント端末情報
７０    セッション情報
１２１  インターフェース
１２２  制御部
１２６  データベース格納部
２２１  インターフェース
２２２  制御部
２２４  データベース格納部
Ａ      第１中継サーバ
Ｂ      第２中継サーバ
Ｃ      第３中継サーバ
Ａ１    第１クライアント端末
Ａ２    第２クライアント端末
Ｂ１    第３クライアント端末
Ｂ２    第４クライアント端末
Ｃ１    第５クライアント端末
Ｃ２    第６クライアント端末
【図１】
2011087083.tif 000003
【図２】
2011087083.tif 000004
【図３】
2011087083.tif 000005
【図４】
2011087083.tif 000006
【図５】
2011087083.tif 000007
【図６】
2011087083.tif 000008
【図７】
2011087083.tif 000009
【図８】
2011087083.tif 000010
【図９】
2011087083.tif 000011
【図１０】
2011087083.tif 000012
【図１１】
2011087083.tif 000013
【図１２】
2011087083.tif 000014
【図１３】
2011087083.tif 000015
【図１４】
2011087083.tif 000016
【図１５】
2011087083.tif 000017
【図１６】
2011087083.tif 000018
【図１７】
2011087083.tif 000019
【図１８】
2011087083.tif 000020
【図１９】
2011087083.tif 000021